(57)【要約】【課題】比較的安価な手段により防犯モードを備えた屋内用照明器具を提供する。【解決手段】照度センサ１０を有し、ランプ２の点灯制御を通常モードと防犯モードとに切り替えることができる屋内用照明器具である。防犯モードが選択されると、周囲照度が所定値以下になると第一の所定時間２２に渡ってランプ２が点灯され、第一の所定時間２２の経過後は、周囲照度が所定値以下でもランプ２が点灯されない強制消灯時間帯２３を設けている。第一の所定時間２２の経過後は、周囲照度が第二の所定時間２４に渡って所定値以上にならないと、周囲照度が所定値以下でもランプ２が点灯されない強制消灯時間帯２５を設けてもよい。【選択図】　図２
2004047241.tif 000002
【特許請求の範囲】
【請求項１】
照度センサを有し、ランプの点灯制御を通常モードと防犯モードとに切り替えることができる屋内用照明器具であって、防犯モードが選択されると、周囲照度が所定値以下になると第一の所定時間に渡ってランプが点灯され、第一の所定時間経過後は、周囲照度が所定値以下でもランプが点灯されない強制消灯時間帯を設けた屋内用照明器具。
【請求項２】
照度センサを有し、ランプの点灯制御を通常モードと防犯モードとに切り替えることができる屋内用照明器具であって、防犯モードが選択されると、周囲照度が所定値以下になると第一の所定時間に渡ってランプが点灯され、第一の所定時間経過後は、周囲照度が第二の所定時間に渡って所定値以上にならないと、周囲照度が所定値以下でもランプが点灯されない強制消灯時間帯を設けた屋内用照明器具。
【請求項３】
請求項１または２において、通常モードと防犯モードとはリモコン送信器から送信されるリモコン信号により切り替えられる屋内用照明器具。
【請求項４】
請求項１または２において、ブザーを有し、防犯モードが選択されると一定時間に渡ってブザーが鳴る屋内用照明器具。
【発明の詳細な説明】
【０００１】
【発明の属する技術分野】
本発明は、防犯モードを備えた屋内用照明器具に関する。
【０００２】
【従来の技術】
照度センサを備えた照明器具は、周囲照度が所定値以下になるとランプが点灯するように制御され、周囲照度が所定値以上にならない限り、ランプの点灯状態は維持されている。すなわち、夜間帯にランプの点灯状態が継続するようになっており、このような照明器具は一般的に屋外用の防犯照明器具として使用されている。
【０００３】
【発明が解決しようとする課題】
しかし、一般居室などに使用される屋内用照明器具に同様な機能を設けると、例えば旅行などの外出時においてはランプを消灯することができないために、夜間帯は継続点灯状態になり、電気代がかさむとともに真夜中でも点灯し続けているためにかえって不自然である。この不自然感をなくすためには照明が必要となってくる夕方から就寝までの時間帯のみをランプ点灯時間帯とする必要があるが、照明器具に時計機能を内蔵する必要があるために高価なものとならざるを得ない。従って、本発明は、比較的安価な手段により防犯モードを備えた屋内用照明器具を提供することを目的とする。
【０００４】
【課題を解決するための手段】
本発明を要約すると、照度センサを有し、ランプの点灯制御を通常モードと防犯モードとに切り替えることができる屋内用照明器具であって、防犯モードが選択されると、周囲照度が所定値以下になると第一の所定時間に渡ってランプが点灯され、第一の所定時間経過後は、周囲照度が所定値以下でもランプが点灯されない強制消灯時間帯を設けた屋内用照明器具である。また、もう一つの本発明は、照度センサを有し、ランプの点灯制御を通常モードと防犯モードとに切り替えることができる屋内用照明器具であって、防犯モードが選択されると、周囲照度が所定値以下になると第一の所定時間に渡ってランプが点灯され、第一の所定時間経過後は、周囲照度が第二の所定時間に渡って所定値以上にならないと、周囲照度が所定値以下でもランプが点灯されない強制消灯時間帯を設けた屋内用照明器具である。また、通常モードと防犯モードとはリモコン送信器から送信されるリモコン信号により切り替えられると好ましい。また、ブザーを有し、防犯モードが選択されると一定時間に渡ってブザーが鳴ると好ましい。
【０００５】
【発明の実施の形態】
次に、本発明の実施形態を説明するが、それはあくまで本発明に基づいて採択された例示的な実施形態であり、本発明をその実施形態に特有な事項に基づいて限定解釈してはならず、本発明の技術的範囲は、請求項に示した事項さらにはその事項と実質的に等価である事項に基づいて定めなければならない。
【０００６】
図１において、１は屋内の天井などに取り付けられる照明器具（本体）、２はランプ、３はグローブ、４はセンサブロック、５はマイコン、６はインバータなどの点灯回路、７は商用交流電源、８はリモコン送信器である。センサブロック４にはリモコン信号の受信部９と照度センサ１０とブザー１１が装備され、マイコン５はセンサブロック４の内部又は点灯回路６に装備される。リモコン送信器８には、ランプ２の点灯状態を切り替える点灯制御ボタン１２と、ランプ２の点灯制御モードを通常モードと防犯モードとに切り替えるモード制御ボタン１３を有する。
【０００７】
通常モードとは、点灯制御ボタン１２を人為的に押すというマニュアル操作により、ランプ２の点灯状態を全光点灯−調光点灯−消灯などに順に切り替えることができるモードである。防犯モードとは、モード制御ボタン１３を一度押すことにより所定の防犯設定モードでランプ２が点灯制御されるモードである。また、モード制御ボタン１３をもう一度押すことにより防犯モードは解除されて通常モードになり、モード制御ボタン１３を押すたびに通常モードと防犯モードが切り替わるものである。なお、防犯モードが選択されるとブザー１１が一定時間に渡って鳴るので、ユーザーは防犯モードに入ったことが分かる。
【０００８】
このように、通常モードと防犯モードとはリモコン送信器８から送信されるリモコン信号により切り替えられるが、通常モードと防犯モードを切り替える手段としては他に、１〜２秒に設定された一定時間以内の商用交流電源７の壁スイッチ遮断によるものでもよいし、照明器具１に備えたスイッチによるものでもよい。
【０００９】
以上示した照明器具１は、照度センサ１０を有し、ランプ２の点灯制御を通常モードと防犯モードとに切り替えることができる屋内用照明器具であるが、図２に示した具体例に基づいて防犯モードの動作例を説明する。まず、外出前にリモコン送信器８のモード制御ボタン１３を一度押すと、防犯モード信号が照明器具１の受信部９に到来して防犯モードに切り替わる。防犯モードになると例えば２秒間隔でブザー１１が鳴り続け、防犯モードであることがユーザーに認識される。この後、ユーザーは外出するため、ブザー１１が鳴っていてもうるさくはない。ユーザーの外出準備時間としてランプ２は例えば１０分間程度、調光点灯２１された後、一旦、消灯制御される。なお、ブザー１１の音量は屋外から聞こえるほどは大きくない。
【００１０】
周囲照度は照度センサ１０により測定されており、周囲照度があらかじめ設定された２ｌｘ以下になれば、ランプ２は調光点灯される。このように、周囲照度が所定値以下になると第一の所定時間２２（例えば６時間）に渡ってランプ２が調光点灯される。全灯点灯ではなく調光点灯させるのは節電のためである。そして、ランプ２はマイコン５により計測された６時間に渡って点灯し続けてから消灯される。なお、ランプ２が点灯すると、照度センサ１０からの周囲照度出力は当然ながら所定値以上に上昇するが、そもそもマイコン５はランプ２の点灯制御を司っておりランプ２が点灯したことを承知しているため、照度センサ１０からの周囲照度出力を無視でき、一旦点灯したランプ２が直ぐに消灯することはない。
【００１１】
次に、ランプ２の消灯から９時間は周囲照度が２ｌｘ以下でもランプ２を点灯しないという処理がマイコン５にて行われ、第一の所定時間２２の経過後は、周囲照度が所定値以下でもランプ２が点灯されない強制消灯時間帯２３（例えば９時間）を設けている。また、強制消灯時間帯２３が経過した後は、周囲照度が所定値以下に低下する夕方まではランプ２は消灯を続ける。かくして、夜間の前半は点灯、深夜以降は消灯制御されるため、屋外からはあたかも屋内に人が存在しているように不自然なく意識されて、防犯効果が発揮される。なお、モード制御ボタン１３をもう一度押して防犯モードから通常モードに戻すと、点灯制御ボタン１２を押すことによりランプ２の点灯／消灯を人為的に制御可能である。
【００１２】
次に、図３に示した防犯モードの動作例を説明する。この具体例でも、防犯モードが選択されると、周囲照度が所定値以下になると第一の所定時間２２に渡ってランプ２が点灯されるのは前記例と同様である。しかし、第一の所定時間２２の経過後は、周囲照度が第二の所定時間２４（例えば１時間）に渡って所定値以上にならないと、周囲照度が所定値以下でもランプ２が点灯されない強制消灯時間帯２５を設けている。すなわち、ランプ２が消灯してから周囲照度が２ｌｘ以上になる時間が１時間を越えるまでは周囲照度が２ｌｘ以下でもランプ２を点灯しないという処理をマイコン５に行わせる。このようにすると、第一の所定時間２２の経過後、昼間帯にならないうちにランプ２が再び点灯してしまうおそれを解消できる。
【００１３】
本実施形態によれば、ランプ２の点灯制御を通常モードと防犯モードとに切り替えることができるため、外出しない場合と外出する場合のモード選択をユーザーが行える利点がある。そして、防犯モードが選択されると、夜間の前半は点灯、深夜以降は消灯制御されるため、屋外からはあたかも屋内に人が存在しているように不自然なく意識されて、防犯効果が発揮される。かくして、比較的安価な手段により防犯モードを備えた屋内用照明器具を提供可能となった。
【図面の簡単な説明】
【図１】
（Ａ）照明器具の断面図及びリモコン送信器の正面図
（Ｂ）同照明器具のセンサブロックの下面図
（Ｃ）同照明器具の回路ブロック図
【図２】
防犯モードの具体例を示すタイミング図
【図３】
防犯モードの他の具体例を示すタイミング図
【符号の説明】
１　照明器具
２　ランプ
８　リモコン送信器
１０　照度センサ
１１　ブザー
【図１】
2004047241.tif 000003
【図２】
2004047241.tif 000004
【図３】
2004047241.tif 000005